(57)【要約】【課題】  走査光学体の作動領域内にホームポジションを設けても読取精度が良い画像読取装置を提供する。【解決手段】  原稿が載置される原稿台ガラスの下面側にガイドレール基板上に両面粘着テープと合成樹脂シートとを重ねガイドレールを形成し、前記ガイドレールにホームポジションを有する走査光学体を設け、前記走査光学体に形成した複数の摺動部が前記合成樹脂シート上を摺動して画像を読み取る画像読取装置において、前記合成樹脂シートの厚さは、前記合成樹脂シートの表面に前記摺動部より所定の力が加わっても前記両面粘着テープの影響が反映せず前記合成樹脂シートの前記摺動部が当接しているホームポジション位置に凹部が生じない厚さであることを特徴とする画像読取装置。【選択図】        図４
2006039021.tif 000002
【特許請求の範囲】
【請求項１】
原稿が載置される原稿台ガラスの下面側にガイドレール基板上に両面粘着テープと合成樹脂シートとを重ねガイドレールを形成し、前記ガイドレールにホームポジションを有する走査光学体を設け、前記走査光学体に形成した複数の摺動部が前記合成樹脂シート上を摺動して画像を読み取る画像読取装置において、
前記合成樹脂シートの厚さは、前記合成樹脂シートの表面に前記摺動部より所定の力が加わっても前記両面粘着テープの影響が反映せず前記合成樹脂シートの前記摺動部が当接しているホームポジション位置に凹部が生じない厚さであることを特徴とする画像読取装置。
【請求項２】
原稿が載置される原稿台ガラスの下面側にガイドレール基板上に両面粘着テープと高密度ポリエチレンシートを重ねガイドレールを形成し、前記ガイドレールにホームポジションを有する走査光学体を設け、前記走査光学体に形成した複数の摺動部が前記高密度ポリエチレンシート上を摺動して画像を読み取る画像読取装置において、
前記複数の摺動部の内１個当たりの高密度ポリエチレンシートに加わる力が２．７Ｎ以下、前記摺動部の先端形状が４ｍｍＲ球であり、前記高密度ポリエチレンシートの厚さが０．７ｍｍ以上であることを特徴とする画像読取装置。
【請求項３】
原稿が載置される原稿台ガラスの下面側にガイドレール基板上に合成樹脂シートが設けられたガイドレールを形成し、前記ガイドレールにホームポジションを有する走査光学体を設け、前記走査光学体に形成した複数の摺動部が前記合成樹脂シート上を摺動して画像を読み取る画像読取装置において、
前記合成樹脂シート上の前記摺動部の摺動領域は前記ガイドレール基板と前記合成樹脂シートとが重ねられており、前記摺動領域以外で前記合成樹脂シートと前記ガイドレール基板とが固定されていることを特徴とする画像読取装置。
【請求項４】
前記合成樹脂シートの前記ガイドレール基板への固定は、両面粘着テープまたは接着剤による接着、前記合成樹脂シートの押さえ部材による固定、または前記合成樹脂シートの溝への挟み込みによる固定であることを特徴とする請求項３に記載の画像読取装置。
【請求項５】
前記合成樹脂シートは高密度ポリエチレンシートであることを特徴とする請求項３または４に記載の画像読取装置。
【発明の詳細な説明】
【技術分野】
【０００１】
本発明は、原稿が載置される原稿台ガラスの下面側にガイドレール基板上に合成樹脂シートが設けられたガイドレールを形成し、ガイドレールにホームポジションを有する走査光学体を設け、前記走査光学体に形成した複数の摺動部が前記合成樹脂シート上を摺動して画像を読み取る画像読取装置の改良に関する。
【背景技術】
【０００２】
従来、画像読取装置として、原稿を固定して走査光学体を往復移動し画像を読み取る方式及び原稿を移動して画像を読み取る方式等が知られている。
【０００３】
前者の原稿を固定して走査光学体を往復移動し画像を読み取る方式の画像読取装置おいては、原稿が載置された原稿台ガラスの下面側に沿って設けたガイドレール上を往復移動する光源及びミラーを備えた走査光学体により、原稿を読み取る構成がある。ここで、従来の一例の画像読取装置について説明する。
【０００４】
画像読取装置は、原稿台ガラスを介して原稿を照射するランプと原稿からの反射光を反射させる第１ミラーとを一体化した第１走査光学体を設け、また第１ミラーからの光を反射させる第２ミラーと第３ミラーとを一体化してなる第２走査光学体を設け、第２走査光学体からの反射光を撮像素子であるＣＣＤに結像させる結像レンズを設け、結像レンズによって結像された光像を光電変換するライン状のＣＣＤ等を設けている。
【０００５】
原稿台ガラス上に載置された原稿の画像の読み取りは、第１走査光学体と第２走査光学体とを、光路長を保ちながら、第２走査光学体の移動速度が第１走査光学体の移動速度の１／２になり、第１走査光学体の走行方向に見た原稿全長を読み取ることができるようになっている。
【０００６】
ここで、画像読取装置における走査光学体の摺動部とガイドレールについて説明する。図８は従来の画像読取装置における走査光学体の摺動部とガイドレールの断面の構成図である。図８に示すように、原稿台ガラスの下面側にガイドレール７４０が形成され、このガイドレール７４０はガイドレール基板７４６上に両面粘着テープ７４８で接合されて厚みが０．５ｍｍ程度の高密度ポリエチレンシート７４７が形成されている。ガイドレール７４０に案内されて第２走査光学体７２４に形成したガイドレールの摺動部７４５が往復移動し画像を読み取るようになっている。さらに、原稿台に載置された原稿のサイズを走査光学体とＣＣＤを用いて検知することもできるようになっており、このため、第２走査光学体７２４が作動領域内にホームポジションを有している（特許文献１参照）。
【特許文献１】特開平９−２０７２３９号公報
【発明の開示】
【発明が解決しようとする課題】
【０００７】
しかしながら、ガイドレール上に両面粘着テープと合成樹脂シートを重ね固着し、前記走査光学体の作動領域内にホームポジションを設けると、走査光学体の直進走行精度が低下して画像読取精度が低下するという問題があった。
【０００８】
本発明は上述した問題に鑑みてなされたもので、第１の発明の目的は、ガイドレール上に両面粘着テープと合成樹脂シートを重ね固着し、走査光学体の作動領域内にホームポジションを設けても画像読取精度が良い画像読取装置を提供することにある。第２の発明の目的は、ガイドレール上に合成樹脂シートを使用し、走査光学体の作動領域内にホームポジションを設けても読取精度が良い画像読取装置を提供することにある。
【課題を解決するための手段】
【０００９】
本発明者らは、画像読取精度が良くない原因について、種々検討を重ねてきた結果、走査光学体のホームポジション位置近傍で、読取精度が低下していることを見いだし、さらに、検討を進めるとガイドレール上のホームポジション位置に凹部（窪み）があることが分かり、さらに高密度ポリエチレンシートを粘着している両面粘着テープが影響していることが判明した。そこで、両面粘着テープの影響を受けにくい方法を見いだし第１の発明を完成したものである。
【００１０】
さらに、両面粘着テープの影響を全く受けないようにガイドレール基材の上に直接合成樹脂シートを固定する方法を見いだし第２の発明を完成したものである。
【００１１】
上記の第１の発明の目的は下記の手段のいずれかにより達成される。
【００１２】
（１）原稿が載置される原稿台ガラスの下面側にガイドレール基板上に両面粘着テープと合成樹脂シートとを重ねガイドレールを形成し、前記ガイドレールにホームポジションを有する走査光学体を設け、前記走査光学体に形成した複数の摺動部が前記合成樹脂シート上を摺動して画像を読み取る画像読取装置において、前記合成樹脂シートの厚さは、前記合成樹脂シートの表面に前記摺動部より所定の力が加わっても前記両面粘着テープの影響が反映せず前記合成樹脂シートの前記摺動部が当接しているホームポジション位置に凹部が生じない厚さであることを特徴とする画像読取装置。
【００１３】
（２）原稿が載置される原稿台ガラスの下面側にガイドレール基板上に両面粘着テープと高密度ポリエチレンシートを重ねガイドレールを形成し、前記ガイドレールにホームポジションを有する走査光学体を設け、前記走査光学体に形成した複数の摺動部が前記高密度ポリエチレンシート上を摺動して画像を読み取る画像読取装置において、前記複数の摺動部の内１個当たりの高密度ポリエチレンシートに加わる力が２．７Ｎ以下、前記摺動部の先端形状が４ｍｍＲ球であり、前記高密度ポリエチレンシートの厚さが０．７ｍｍ以上であることを特徴とする画像読取装置。
【００１４】
上記の第２の発明の目的は下記の手段のいずれかにより達成される。
【００１５】
（３）原稿が載置される原稿台ガラスの下面側にガイドレール基板上に合成樹脂シートが設けられたガイドレールを形成し、前記ガイドレールにホームポジションを有する走査光学体を設け、前記走査光学体に形成した複数の摺動部が前記合成樹脂シート上を摺動して画像を読み取る画像読取装置において、前記合成樹脂シート上の前記摺動部の摺動領域は前記ガイドレール基板と前記合成樹脂シートとが重ねられており、前記摺動領域以外で前記合成樹脂シートと前記ガイドレール基板とが固定されていることを特徴とする画像読取装置。
【００１６】
（４）前記合成樹脂シートの前記ガイドレール基板への固定は、両面粘着テープまたは接着剤による接着、前記合成樹脂シートの押さえ部材による固定、または前記合成樹脂シートの溝への挟み込みによる固定であることを特徴とする（３）に記載の画像読取装置。
【００１７】
（５）前記合成樹脂シートは高密度ポリエチレンシートであることを特徴とする（３）または（４）に記載の画像読取装置。
【００１８】
なお、両面粘着テープの影響を受けない合成樹脂シートの厚さとは、合成樹脂シートの表面に摺動部より所定の力が加わっても、合成樹脂シートの裏面にある両面粘着テープにその力が伝わり、両面粘着テープの厚み方向の圧縮変形の影響を受けて合成樹脂シートの摺動部が当接している部分に凹部が生じない厚さを意味する。
【発明の効果】
【００１９】
以上のように構成したので下記のような効果を奏する。
【００２０】
請求項１によれば、合成樹脂シートの厚さを合成樹脂シートの表面に摺動部より所定の力が加わっても両面粘着テープの影響が反映せず合成樹脂シートの摺動部が当接しているホームポジション位置に凹部が生じない厚さとしたので、走査光学体の作動領域内にホームポジションを設けても、走査光学体のホームポジション位置に凹部（窪み）がなく読取精度が良い画像読取装置となった。
【００２１】
請求項２によれば、複数の摺動部の内１個当たりの高密度ポリエチレンシートに加わる力が２．７Ｎ以下、摺動部の先端形状が４ｍｍＲ球であり、高密度ポリエチレンシート厚は０．７ｍｍ以上とすることにより、走査光学体の作動領域内にホームポジションを設けても、走査光学体のホームポジション位置での凹部（窪み）を防止でき、読取精度が良い画像読取装置となった。
【００２２】
請求項３によれば、ガイドレール基板上の摺動部の摺動領域に直接ガイドレール基板上に合成樹脂シートを積層し、摺動領域以外で合成樹脂シートをガイドレール基板に固定するので、合成樹脂シートの下面の影響を受けないで走査光学体のホームポジションでの凹部（窪み）が防止でき、走査光学体の作動領域内にホームポジションを設けても読取精度が良い画像読取装置となった。
【００２３】
請求項４によれば、合成樹脂シートのガイドレール基板への固定は、摺動領域以外での両面粘着テープによる接着、摺動領域以外での接着剤による接着、摺動領域以外での合成樹脂シートの上よりの押さえ部材による固定、または摺動領域以外での合成樹脂シートの溝への挟み込みによる固定であるので、簡単な構造で合成樹脂シートをガイドレール基板に確実に固定できるようになった。
【００２４】
請求項５によれば、合成樹脂シートを高密度ポリエチレンシートとすることにより、摺動性が良好となった。
【発明を実施するための最良の形態】
【００２５】
（画像形成装置）
以下、実施の形態の一例を説明するが、最初に本発明の画像読取装置を備えた画像形成装置について説明する。図１は画像読取装置を備えた画像形成装置の構成を示す図である。
【００２６】
図１に示すように、画像形成装置はトナー画像を転写材上に形成するもので、画像形成装置は自動原稿送り装置１、本発明に係わる画像読取装置２、画像形成部３、転写材収納部４、給紙部５、反転排紙・再給紙部６、および反転搬送部８等で構成されている。
【００２７】
自動原稿送り装置１は、可倒式に構成されており、この自動原稿送り装置１を起こして原稿台ガラス２２上を開放し、原稿台ガラス２２上に原稿ｄを直接載置して複写を行うこともできるように構成してある。また、原稿ｄを自動送りしながら読み取るためには、原稿載置台１１上に載置された複数枚の原稿ｄを、原稿分離手段１２によって１枚づつ分離し、原稿搬送手段１３によって画像読取位置に向けて搬送する。原稿読取位置は原稿搬送手段１３の下方部に設けられており、画像読み取り装置２のスリット２１を通して原稿ｄの画像が読み取られるようになっている。
【００２８】
本発明の画像読取装置２は、プラテンガラス上に原稿をセットし、原稿を走査した画像の光を、ＣＣＤセンサを用いて電気信号に変換するデジタル方式の画像読取装置であり、第２ミラーユニット２４の移動速度が第１ミラーユニット２３の移動速度の１／２になり、第１ミラーユニット２３の走行方向に見た原稿全長を読み取ることができるようになっている。光電変換されたアナログ信号は、アナログ処理後にＡ／Ｄ変換され、適宜の画像処理を施された後、画像データとして制御手段（不図示）のメモリに蓄積される。
【００２９】
画像形成部３は、像担持体としての光導電性感光層を表面に有する感光体ドラム３１、感光体ドラム３１の表面を一様帯電させる帯電電極を含む帯電器３２、画像処理後の画像データに基いて作動され、感光体ドラム３１上を露光して静電荷潜像を形成するための露光手段であるレーザ書込手段３３、感光体ドラム３１上に形成される静電荷潜像を反転現像してトナー像となす現像装置３４、前記トナー像を普通紙等からなる転写材上に転写せしめる転写電極を含む転写手段３５、感光体ドラム３１上からの転写材の分離を促進する分離手段３６、および、転写工程終了後の前記感光体ドラム３１を清掃するためのクリーニング手段３７等を有する。
【００３０】
搬送ベルト３８は分離後の転写材を、定着装置９に向けて搬送する。排紙ローラ６３は用紙を排紙するローラである。画像形成は、矢示の方向に回転する感光体ドラム３１を帯電器３２により順次帯電した後、レーザ書込手段３３によるドット露光で原稿画像に対応した静電荷潜像を形成し、現像器３４を用いて接触現像もしくは非接触現像により前記静電荷潜像をトナー像となし、その後、レジストローラ５６の回転開始により、給紙トレイ４００、４１０、４２０の何れかから給送される転写材上に、前記転写器３５の作用を介して転写させることで達成される。転写後の転写材は分離手段３６の作用により前記感光体ドラム３１上から分離され、前記定着装置９の加熱・加圧作用を受けた後、機外に排出される。一方、転写領域を通過した感光体ドラム３１は更に回転を続け、クリーニング手段３７によって残留トナーが除去されて次の画像形成への準備がなされる。
【００３１】
（画像読取装置）
次に、実施の形態に係わる画像読取装置について説明する。図２は実施の形態の画像読取装置２の要部正面図、図３は実施の形態の画像読取装置２の要部平面図である。
【００３２】
図２、３に示すように、画像読取装置２は、プラテンガラス上に原稿をセットし、原稿を走査した画像の光を、ＣＣＤ２６を用いて電気信号に変換するデジタル方式の装置である。原稿台ガラス２２、あるいはスリット２１（図１）を介して原稿ｄを照射するランプ２３１と原稿ｄからの反射光を反射させる第１ミラー２３２とを一体化した第１走査光学体（第１ミラーユニットともいう）２３と、第１ミラー２３２からの光を反射させる第２ミラー２４１と第３ミラー２４２とを一体化してなる第２走査光学体（第２ミラーユニットともいう）２４と、第２ミラーユニット２４からの反射光を撮像素子であるＣＣＤに結像させる結像レンズ２５、および、結像レンズ２５によって結像された光像を光電変換するライン状のＣＣＤ２６等を有している。
【００３３】
原稿台ガラス２２上に載置された原稿ｄの画像の読み取りは、第１ミラーユニット２３と第２ミラーユニット２４とを、光路長を保ちながら、第２ミラーユニット２４の移動速度が第１ミラーユニット２３の移動速度の１／２になり、第１ミラーユニット２３の走行方向に見た原稿全長を読み取る。
【００３４】
また、画像読取装置２には、原稿ｄのサイズを検知する機能を有し、原稿ｄの先端部から十数ｍｍの範囲に設定しプラテンガラスの任意の位置に、原稿ｄを検知するための検知手段を配置すると共に、原稿ｄを走査する最初の段階で、ＣＣＤ２６を利用して原稿ｄの幅を読み取る手段を配置し、この２種類の検知手段からの情報を基にして原稿ｄのサイズを検知できるようになっている。
【００３５】
第１ミラーユニット２３と第２ミラーユニット２４は、原稿ｄのサイズを検知するため、予め決められたホームポジションで停止している。ホームポジション１ＨＰは第１ミラーユニット２３のホームポジション、ホームポジション２ＨＰは第２ミラーユニット２４のホームポジションである。
【００３６】
第１ミラーユニット２３は４点の摺動部を有しており、１点の摺動部で１．７２Ｎの力がガイドレール２３０に作用している。また、第２ミラーユニット２４は４点の摺動部を有し、１点の摺動部で２．４５Ｎの力がガイドレール２３０に作用している。
【００３７】
ここで作用を説明すると、スタートボタンを押すと、画像読取装置の第１走査光学体２３、第１走査光学体２４はホームポジションの位置で原稿ｄの幅の検知を行ってから、一旦、走査開始端部にまで戻り、原稿ｄのスキャンモードにより、原稿ｄに対する走査が開始され、終了すると、ホームポジション位置にくるようになっている。
【００３８】
（実施の形態１）
次に、実施の形態１に係わる画像読取装置の走査光学体の摺動機構について説明する。図４は実施の形態１の走査光学体の摺動部とガイドレール周辺の構成図で、図４（ａ）は図２の断面ＡＡの構成を示す図で、図４（ｂ）は図４（ａ）の断面ＢＢの構成を示す図である。
【００３９】
図４に示すように、走査部はガイドレール２４０Ａと第２走査光学体２４の摺動部等より構成されている。第２ミラーユニット２４の底板は４つの摺動部２４５があり、摺動部２４５は、図４で下側に凸の半円形状で４ｍｍＲ球の形状をしており高密度ポリエチレンシート２４７に点接触している。ガイドレール２４０Ａは、ガイドレール基材２４６の上に、両面粘着テープ２４８を介し、両面粘着テープ２４８の影響を受けない厚みを有する高密度ポリエチレンシート２４７で形成されている。ガイドレール２４０Ａは第２走査光学体２４の移動範囲に渡り形成されている。
【００４０】
高密度ポリエチレンシート２４７は低密度ポリエチレンに比べて硬く腰が強く、伸びにくい性質がある。また、両面粘着テープ２４８は不織布の両面に耐久性に優れた粘着材が設けられ、接着力は１５．２（Ｎ／２０ｍｍ）、テープ層厚さ０．１４５（ｍｍ）、粘着剤はアクリル系である。また、基材は強度大で、耐熱、耐久、耐反発性に優れたものである。
【００４１】
ここで作用を説明すると、スタートボタンを押すと、走査光学体２４はホームポジション２ＨＰ（図２）の位置で原稿ｄの幅の検知を行ってから、一旦、走査開始端部にまで戻り、原稿ｄのスキャンモードにより、原稿ｄに対する走査が開始され、途中でホームポジション２ＨＰを通過して終了位置まで移動しホームポジション位置に戻る。この間、ホームポジション２ＨＰに凹部（窪み）がないので高精度で画像読み取りができる。
【００４２】
以上のように、第２走査光学体２４のホームポジション２ＨＰでガイドレール表面に凹部（窪み）が発生しないので、第２走査光学体２４の作動領域内にホームポジション２ＨＰを設けても読取精度が良い。なお、第１走査光学体２３のホームポジション１ＨＰのガイドレール表面の凹部（窪み）についても同様である。
【００４３】
（実施の形態２）
次に、実施の形態２に係わる画像読取装置について主要部である走査部を中心に説明する。図５は実施の形態２の走査光学体の摺動部とガイドレール周辺の構成図である。図５（ａ）は図２の断面ＡＡの構成を示す図で、図５（ｂ）は図５（ａ）の断面ＢＢの構成図である。図５に示すように、走査部はガイドレール２４０Ｂと摺動部２４５より構成されている。ガイドレール２４０Ｂは、ガイドレール基材２４６に段付部２４６ａを設け、段付部２４６ａ上に合成樹脂シート２４７を置き、ガイドレール基材２４６の段付部分２４６ａ以外の段差部分に両面粘着テープ２４８を配置する構造である。合成樹脂シート２４７上の摺動部２４５の摺動領域Ｓ１はガイドレール基板２４６と合成樹脂シート２４７とが重なり、摺動領域以外Ｓ２では合成樹脂シート２４７がガイドレール基板２４６に固定されている。摺動部２４５からの力が合成樹脂シート２４７を介して直接剛性のあるガイドレール基材２４６に作用する構造になっている。
【００４４】
他の画像読取装置の走査部について説明すると、図６は実施の形態２の他のガイドレールと摺動部の構成図で、図６（ａ）は図２の断面ＡＡの構成を示す図で、図６（ｂ）は図６（ａ）の矢印ＣＣより見た平面図である。
【００４５】
図６に示すように、走査部はガイドレール２４０Ｃと摺動部２４５より構成されている。ガイドレール２４０Ｃは、ガイドレール基材２４６に切欠段付部２４４を設け、この切欠段付部２４４により合成樹脂シート２４７を固定する構造である。
【００４６】
合成樹脂シート２４７上の摺動部２４５の摺動領域Ｓ１はガイドレール基板２４６と合成樹脂シート２４７とが重なり、摺動領域以外Ｓ２では合成樹脂シート２４７がガイドレール基板２４６に固定されている。摺動部２４５からの力が合成樹脂シート２４７を介して直接剛性のあるガイドレール基材に作用する構造になっている。
【００４７】
さらに、他の画像読取装置の走査部について説明すると、図７は実施の形態２の他のガイドレールと摺動部の構成図で、図７（ａ）は図２の断面ＡＡの構成を示す図で、図７（ｂ）は図７（ａ）の断面ＢＢの構成図である。
【００４８】
図７に示すように、走査部はガイドレール２４０Ｄと摺動部２４５より構成されている。ガイドレール２４０Ｄは、ガイドレール基材２４６に合成樹脂シート２４７を重ね、さらに板バネの押さえ部材２４９で合成樹脂シート２４７をガイドレール基材２４６に固定する。合成樹脂シート２４７上の摺動部２４５の摺動領域Ｓ１はガイドレール基板２４６と合成樹脂シート２４７とが重なっており、摺動領域以外Ｓ２で合成樹脂シート２４７がガイドレール基板２４６に固定されている。摺動部２４５からの力が合成樹脂シート２４７を介して直接剛性のあるガイドレール基材２４６に作用する構造となっている。
【００４９】
ここで確認実験について説明する。図１から図３に示す画像形成装置に、実施の形態２に記載の図５に示すガイドレールおよび摺動部を組み込み試験機とし、第２走査光学体を用いた。４点の摺動部の１つにかかる荷重は２．５Ｎ（ニュートン）、摺動部の先端形状は４ｍｍＲ球である。高密度ポリエチレンシートの厚みは０．５ｍｍ、０．８ｍｍとし、比較例として、両面粘着テープと高密度ポリエチレンシート（厚み０．５ｍｍ）を重ねたものを使用した。第２走査光学体をホームポジション２ＨＰ（図２）に２１日間放置後に、凹部（窪み）をピックテスタで計測した結果、本発明では凹部量（窪み量）０．００５から０．０１ｍｍ、比較例では０．０５ｍｍであった。
【００５０】
以上のように、実施の形態２の画像読取装置によれば、ガイドレール基材の上に、接着部材を介さず直接、合成樹脂シートを重ね、合成樹脂シート上に摺動部が摺動するようにしたので、摺動部からの力が合成樹脂シートを介して剛性のあるガイドレール基材で受け止め、合成樹脂シートの表面に凹部（窪み）が発生しないようになった。
【００５１】
なお、実施の形態では、第２走査光学体（第２ミラーユニット）２４における凹部（窪み）防止について説明したが、第１走査光学体（第１ミラーユニット）２３に関しても同様に実施可能である。さらに、球面の摺動部の代わりに、回転可能なコロを設けて、コロをガイドレール上を走行する構成としても良い。
【実施例】
【００５２】
ここで本発明の請求項２にかかわる画像読取装置の実施例について説明する。この画像読取装置は、原稿が載置される原稿台ガラスの下面側にガイドレール基板上に両面粘着テープと高密度ポリエチレンシートを重ねガイドレールを形成し、前記ガイドレールにホームポジションを有する走査光学体を設け、走査光学体に形成した複数の摺動部が前記高密度ポリエチレンシート上を摺動して画像を読み取る装置である。複数の摺動部の内１個当たりの高密度ポリエチレンシートに加わる力が２．７Ｎ以下、摺動部の先端形状が４ｍｍＲ球であり、前記高密度ポリエチレンシート厚は０．７ｍｍ以上である。
【００５３】
１）実験装置
図１から３に示す画像形成装置に、実施の形態１に記載の図４に示すガイドレールおよび摺動部を組み込み、第２走査光学体を使用した。４点の摺動部の１つにかかる荷重は２．５Ｎ（ニュートン）、摺動部の先端形状は４ｍｍＲ球である。両面粘着テープ、合成樹脂シートは実施の形態１に記載の通りである。高密度ポリエチレンの厚みを変化させて比較例も含め試験を行った。
【００５４】
２）評価項目
高密度ポリエチレンシートの表面の摺動部による凹部（窪み）深さ、画像読取精度
３）評価方法
凹部（窪み）深さ：第２走査光学体をホームポジションに２１日間放置後に深さピックテスタで計測した。
【００５５】
画像読取精度；第２走査光学体をホームポジションに２１日間放置後、テスト原稿を読み取り走査を行い評価した。
【００５６】
４）評価尺度
画像読取精度；３点評価（○良好、△やや良好、×不良）
５）データ
データは表１に示す通りである。
【００５７】
【表１】
2006039021.tif 000003
【００５８】
表１に示すように、複数の摺動部の内、１個当たりの高密度ポリエチレンシートに加わる力が所定以下、摺動部の先端形状が４ｍｍＲ球である場合、高密度ポリエチレンシート厚は０．７ｍｍ以上が好ましい。この範囲にあると走査光学体のホームポジション位置の表面に凹部（窪み）が発生せず、逆に、この下限範囲を超えると、高密度ポリエチレンシートの下部にある両面粘着テープの影響を受け凹部（窪み）が発生する。より好ましくは、高密度ポリエチレンシートの厚みは０．８ｍｍ以上である。
【図面の簡単な説明】
【００５９】
【図１】画像読取装置を備えた画像形成装置の構成を示す図である。
【図２】実施の形態の画像読取装置の要部正面図である。
【図３】実施の形態の画像読取装置の要部平面図である。
【図４】実施の形態１の走査光学体の摺動部とガイドレール周辺の構成図である。
【図５】実施の形態２の走査光学体の摺動部とガイドレール周辺の構成図である。
【図６】実施の形態２の他のガイドレールと摺動部の構成図である。
【図７】実施の形態２の他のガイドレールと摺動部の構成図である。
【図８】従来の画像読取装置における走査光学体の摺動部とガイドレールの断面の構成図である。
【符号の説明】
【００６０】
２  画像読取装置
２３  第１走査光学体（第１ミラーユニット）
２４  第２走査光学体（第２ミラーユニット）
２４０Ａ、２４０Ｂ、２４０Ｃ、２４０Ｄ  ガイドレール
２４５  摺動部
２４６  ガイドレール基板
２４７  高密度ポリエチレンシート
２４８  両面粘着テープ
２４９  押さえ部材
２ＨＰ、１ＨＰ  ホームポジション
【図１】
2006039021.tif 000004
【図２】
2006039021.tif 000005
【図３】
2006039021.tif 000006
【図４】
2006039021.tif 000007
【図５】
2006039021.tif 000008
【図６】
2006039021.tif 000009
【図７】
2006039021.tif 000010
【図８】
2006039021.tif 000011